(57)【要約】光学式ディスクドライブは光学式ピックアップユニット(5)を有し、光学式ピックアップユニットは、少なくとも１つの光源を含む固定部と、ガイド(9)に取り付けられ、少なくとも１つの反射鏡(13)、集束レンズ(14)及びレンズ移動要素を含む可動部とを有する。可動部は集束ビームをディスク(D)に沿って移動するように構成されている。PCBは可撓性ワイヤ(20)を通じて光学式ピックアップユニットの可動部上のレンズ移動要素への信号接続を有する。単一のPCBだけが設けられ、光学式ピックアップユニット(5)の固定部(7)、ガイド(9)及び駆動モータ(2)のための取付ベースとして機能する。
2005535999.tif 000002
【特許請求の範囲】
【請求項１】
ハウジングと、
前記ハウジング内に取り付けられ、ディスクを回転するために該ディスクと係合するよう構成された駆動モータ及び駆動軸と、
少なくとも１つの光源を有する固定部と、ガイドの上にスライド可能に取り付けられ、少なくとも１つの反射鏡、集束レンズ及びレンズ移動要素を含む可動部とを有する光学式ピックアップユニットと、
前記光学式ピックアップユニットの前記可動部上の前記レンズ移動要素へ可撓性ワイヤを通じて信号結合する印刷回路基板とを有し、
前記可動部は集束ビームを前記ディスクに沿って移動するよう構成された光学式ディスクドライブであって、
単一の前記印刷回路基板が、前記光学式ピックアップユニットの前記固定部、前記ガイド、前記駆動モータのための取付ベースとして機能するよう設けられたことを特徴とする光学式ディスクドライブ。
【請求項２】
前記印刷回路基板は、近接するハウジング壁に面する側に取り付けらた電子部品を搭載することを特徴とする請求項１に記載の光学式ディスクドライブ。
【請求項３】
前記印刷回路基板は熱伝導性マットのような熱伝導取付手段を介して前記ハウジングに取り付けられたことを特徴とする請求項１又は２に記載の光学式ディスクドライブ。
【請求項４】
前記可撓性ワイヤは１つの屈曲軸の周りにのみ屈曲可能なワイヤコード内に含まれ、前記屈曲軸は前記駆動モータの前記駆動軸と実質的に平行であることを特徴とする請求項１に記載の光学式ディスクドライブ。
【請求項５】
前記光学式ピックアップユニットの前記可動部用の前記ガイドは前記印刷回路基板に直接的に取り付けられていることを特徴とする請求項１乃至４に記載の光学式ディスクドライブ。
【請求項６】
前記ハウジングは金属製であることを特徴とする請求項１乃至５に記載の光学式ディスクドライブ。
【請求項７】
前記光学式ピックアップユニットの前記可動部は前記集束レンズ用の駆動コイルを有する作動装置を有し、前記駆動コイルは前記可撓性ワイヤを通じて前記印刷回路基板に接続されていることを特徴とする請求項１乃至６に記載の光学式ディスクドライブ。
【請求項８】
ハウジングを設けるステップと、
駆動モータを設けるステップと、
前記ハウジング内に取り付けられ、ディスクを回転するために前記ディスクと係合するよう構成された駆動軸を設けるステップと、
光源、少なくとも１つの反射鏡、及び、集束ビームを生成するための集束レンズを有する光学式ピックアップユニットを設けるステップと、
前記集束ビームを前記ディスクに沿って移動するためのガイドを設けるステップと、
主要電子部品を有し、可撓性ワイヤを通じて前記ガイドに接続されている印刷回路基板を設けるステップとを有する光学式ディスクドライブの組み立て方法であって、
先ず、前記主要電子部品を前記印刷回路基板の一方の側に取り付け、次に、前記ガイド、前記光学式ピックアップユニット及び前記駆動モータを前記印刷回路基板の反対の側に取り付けることを特徴とする光学式ディスクドライブの組み立て方法。
【請求項９】
前記駆動モータ、前記光学式ピックアップユニット、前記ガイド、及び、前記主要電子部品は一回の半田付けによって前記印刷回路基板に取り付けられることを特徴とする請求項８に記載の光学式ディスクドライブの組み立て方法。
【発明の詳細な説明】
【技術分野】
【０００１】
本発明は光学式ディスクドライブに関する。
【背景技術】
【０００２】
従来技術において、光学式ディスクドライブは、光学式ピックアップユニットと、直線ガイドと、サブフレームと、スプリング搭載フレームと、ディスク駆動モータとを有するのが一般的である。光学式ピックアップユニットとプリント基板との間の信号の送受信は所謂ＦＬＥＸ結合を通じてなされる。この結合はリード信号、ライト信号、サーボ信号及びパワー信号を伝導する。これらの信号の振幅及び感度は極めて異なる。これによって、これらの信号のクロストークの問題が生じる。
【０００３】
さらに、光学式ピックアップユニットは別の製造場所で製造されるのが普通である。ある光学式ピックアップユニットが他の製造ラインにおける光学式ディスクドライブに組み込まれるとすると、光学式ピックアップユニットの製造公差に組立公差が加えられる。この結果、ピックアップユニットの製造後、及び、ドライブの組立後毎に、製造段階において無視できない比率の不合格品を生じる。原理的には、製造公差及び組立公差は相互に補償し得る。しかしながら、テストがピックアップユニット製造後に行われる故に、ピックアップユニットは補償がなされる前にハネられるので、この補償は用い得ない。
【０００４】
光学式ディスクドライブの一例は例えば米国特許番号第５２１４６３０号に開示されている。光学式ピックアップユニットは、光源を含む固定部と、少なくとも１つの反射鏡、集束レンズ、及び、レンズ移動要素を含む可動部とに分けられている。可動部の寸法及び重量は大幅に低減され、よって、応答時間も同様に低減され得る。可撓性の信号結合も単純化され得る。
【発明の開示】
【発明が解決しようとする課題】
【０００５】
本発明の目的は光学式ディスクドライブを一層改良することである。
【課題を解決するための手段】
【０００６】
本発明に基づく光学式ディスクドライブは請求項１に記載の特徴部分の機能によって特徴付けられている。
【０００７】
単一の印刷回路基板（ＰＣＢ）上に電子部品が取り付けられているので、多量の接続部が不要となり、これによって信頼性が増大する。光学式ピックアップユニットへのレンズ移動要素への接続は残るが、これは細心の注意が求められる接続ではない。光学式ピックアップユニットが製造及び組立工程に統合されているため、たった一回の最終テストが必要なだけであり、これによって、不合格品の比率が低減され、テスト工程が単純化される。
【０００８】
好ましくは、ＰＣＢは電子部品を含み、ＰＣＢにこれらの電子部品は近接するハウジング壁に面する側に取り付けられる。
【０００９】
他の部品と反対側の面、即ち、換言すれば、近接するハウジング壁に面する側での電子部品の配置は電子部品からの熱を光学式ピックアップユニットから遠ざけ、よって、信頼性及び正確性が向上する。さらに、この熱を伝導によって駆動ユニットから除去することが容易であり、冷却ファンの必要性がなくなる。そのような冷却ファンが用いられなければ、エアフィルタも不要となる。これによって、製造コストが低減され、更なる小型化が可能となる。ＰＣＢが熱伝導マットのような熱伝導取付手段を介してハウジングに取り付けられると、ハウジングからの熱の除去が更に向上する。
【００１０】
ハウジングが金属から成るディスクドライブの実施例は熱伝導特性をさらに一層向上させるだけでなく、ＥＭＣ遮蔽をも向上する。優れた熱除去の故に、ハウジング壁に大きな冷却孔は不要であり、これによって、ハウジング内外への放射のための遮蔽効果はさらに向上する。
【００１１】
好適な実施例によれば、可撓性ワイヤはワイヤコード内に含まれ、ワイヤコードは１つの屈曲軸の周りにのみ屈曲可能である。この屈曲軸は駆動モータの駆動軸と実質的に平行である。
【００１２】
このワイヤコードの配置の意味するところは、ワイヤコードがＥＭＣにとって細心の注意が求められる部品又は電気放射から離間されることである。これはまたディスクドライブの平坦な構造を可能とする。
【００１３】
光学式ピックアップユニットの可動部のための直線ガイドをＰＣＢ上に直接取り付けることが好ましい。これによって、構造が大いに単純化される。これは重要な部品がＰＣＢ上により堅固に取り付けられることによって可能とされる。熱伝導マットがあれば、衝突が発生した場合に振動を低減する。プラスチック製のマットは高周波の機械的フィルタとして機能する。光学式ピックアップユニットのために固定部及び可動部を利用することで移動レンズ周りの部品の重量が低減され、よって、可能なサーボ帯域幅が増大する。
【００１４】
また、本発明は光学式ディスクドライブの組み立て方法に関し、ハウジングを設けるステップと、駆動モータを設けるステップと、ハウジング内に取り付けられ、ディスクを回転するためにディスクに係合するよう構成されている駆動軸を設けるステップと、光源、少なくとも１つの反射鏡及び集束ビームを生成するための集束レンズを含む光学式ピックアップユニットを設けるステップと、集束ビームをディスクに沿って移動するためのガイドを設けるステップと、可撓性ワイヤを通じてガイドに接続されるプリント基板とを設けるステップを含む。
【００１５】
本発明によれば、先ず、主要な電子部品はＰＣＢの一方の面に取り付けられる。次に、スライド、光学式ピックアップユニット及び駆動モータがＰＣＢの反対面に取り付けられる。
【００１６】
ＰＣＢを回転する必要が最早必要ではないため、ディスクドライブの組み立てが単純化される。全ての機械的及び光学的部品が一方の側から取り付けられるため、組立公差がさらに低減される。
【００１７】
本発明は本発明に基づく光学式ディスクドライブの例示的な実施例を極めて図式的に表わす図面を参照しながらより詳細に説明する。
【発明を実施するための最良の形態】
【００１８】
図面は光学式ディスクＤを読み書きする光学式ディスクドライブを極めて図式的に表わす。光学式ディスクはどのようなタイプでもよく、例えば、ＣＤ、ＣＤ−ＲＯＭ、ＤＶＤ、あるいは、その類似物があり、これらは読み書きが可能である。よって、光学式ディスクドライブは光学式ディスクＤの情報トラック上に情報を記録及び／又は再生するためのものである。
【００１９】
光学式ディスクドライブは参照番号１で極めて図式的に示されているハウジングを含み、このハウジングはディスクドライブの構成部品を収容する。ハウジング１は金属で形成されるのが好ましい。ハウジング１は閉鎖可能なな開口（図示せず）を有し、ディスクドライブにディスクＤを出し入れすることが可能である。
【００２０】
ハウジング１内には駆動軸３を有する駆動モータ２とディスクＤをその上に搭載するためのハブ４があり、ディスクＤは駆動モータ２によって回転される。
【００２１】
ハウジング１はさらに光学式ピックアップユニット（ＯＰＵ）５を含み、この光学式ピックアップユニットは光学式ディスクＤ上の情報を集束光ビーム６によって読み書きする。本発明によれば、光学式ピックアップユニット５は固定部７と可動部８とを含む。固定部７は固定位置に取り付けられているのに対し、可動部８は移動可能であり、よって、集束光ビーム６を情報を含むディスクＤの表面部分に沿って移動することができる。図示の実施例の場合、可動部８はガイドレール１０及び支持部１１を含む直線ガイド９によってディスクＤに対する径方向に移動可能である。
【００２２】
光学式ピックアップユニット５の固定部７は（レーザー）光源や周辺機器のような集束光ビーム６を生成するための手段を含む。光学式ピックアップユニット５はディスクＤから反射された光のビームの受光手段も含む。受光手段の出力信号はディスクＤ上の情報を再生するためと、集束光ビームを制御するために用いられる。
【００２３】
光学式ピックアップユニット５の可動部８は光ビーム６及び反射された光ビームを４５°に反射するための反射鏡１３を含み、さらに、光学式ピックアップユニット５は集束レンズ１４及びアクチュエータ（図示せず）を含み、光ビーム６を光学式ディスクＤ上に正しく方向付けて焦点を合わせるために集束レンズ１４を動かすようにしている。
【００２４】
可動部８を直線ガイド９に沿って移動するために、すなわち、ガイドレール１０に沿うスライドとして作用させるために、極小のステッピングモータ１５が設けられ、ネジ付きスピンドル１６を介して可動部８に作動可能に連結されている。代替的な駆動手段及び移動手段が同様に考えられることは明らかである。
【００２５】
図１に明瞭に表わされているように、駆動モータ２、光学式ピックアップユニット５の固定部７、及び、光学式ピックアップユニットの可動部の直線ガイドの支持部１１は単一の印刷回路基板（ＰＣＢ）１７に取り付けられている。よって、ＰＣＢは電子制御のために電子部品及び接続部品を搭載するだけではなく、ディスクドライブユニットの主要部材のための取付ベースも構成する。ステッピングモータ１５もＰＣＢ１７上に取り付けられている。
【００２６】
ＰＣＢ１７の主要な電子部品１８はＰＣＢ１７のハウジング１の近接する壁に面する側、すなわち、光学式手段及びディスクＤの駆動手段と反対側に取り付けられている。これらの電子部品からの熱はＰＣＢに取り付けられている熱伝導性マット１９によって放射されうる。熱はこのマット１９及びハウジング１の金属壁を通じてディスクドライブの内部から効果的に取り除かれうる。
【００２７】
ＰＣＢ１７と光学式ピックアップユニットの可動部８上のレンズ作動部材とはワイヤコード２０内に束ねられた可撓性ワイヤを通じて電気的及び電子的に連結されている。このワイヤコード２０は一方向にのみ撓み、そして、本発明によれば、ワイヤコード２０は図２に表わされるような駆動モータ２の駆動軸３と実質的に平行な軸の周りで屈曲可能である。ワイヤコード２０は極めて単純であり、同等級の４つ程のワイヤを含み、よって、クロストークの問題を低減あるいは回避する。
【００２８】
ＰＣＢ１７及び部品の組み立ては以下の通りである。先ず第一に、電子部品１８はＰＣＢ１７の下側に取り付けられる。次に、駆動モータ、ガイドレール１０を備える支持部１１、可動部８、及び、固定部７がＰＣＢ１７の上側に取り付けられる。最後に、部品とＰＣＢとの間の全ての結合が一回の半田付け作業でなされる。このような組み立ての故に、製造過程においてＰＣＢを回転する必要がなく、公差の追加が回避される。テストのために１回の最終的な計測が行われるだけである。
【００２９】
上述のことから、本発明は単純で、信頼性があり、頑強な光学式ディスクドライブを提供することが明らかであり、この光学式ディスクドライブは高性能で長い製品寿命を有する。光学式ディスクドライブの組立方法は不良の低率化に資する。
【００３０】
本発明は図面に表わされるような上述の実施例に限定されるものではなく、発明の範囲から逸脱しない範囲で幾つかの変形がありうる。
【図面の簡単な説明】
【００３１】
【図１】図１は本発明に基づく光学式ディスクドライブの極めて概略的な側断面図である。
【図２】図２は図１における光学式ディスクドライブの極めて概略的な平面図である。
【図１】
2005535999.tif 000003
【図２】
2005535999.tif 000004
【国際調査報告】
2005535999.tif 000005
2005535999.tif 000006